【事件の表示】
　特願２００４−２０８７７４「画像形成装置」拒絶査定不服審判事件〔平成１６年１０月２８日出願公開、特開２００４−３０２４９２〕について、次のとおり審決する。
【結　論】
　本件審判の請求は、成り立たない。
【理　由】
　
１．手続の経緯 ・本願発明
　本願は、平成１０年８月１７日に出願した特願平１０−２３０５２７号の一部を、平成１６年７月１５日に新たな出願としたものであって、平成１８年１０月４日付けで拒絶査定がなされ、これに対し、同年１１月９日に拒絶査定不服審判請求がなされるとともに、同年１２月１１日付けで手続補正がなされたものである。
　同手続補正によって、請求項１の表現が若干修正されているものの、補正前の請求項３が削除されているので、平成１８年改正前特許法第１７条の２第４項第１号に規定する請求項の削除を目的とするものに該当し、適法な補正であると認める。
　本願の発明は、平成１８年１２月１１日付けで補正された特許請求の範囲の請求項１〜２に記載されたものと認められるところ、その請求項１に記載された発明は、次のとおりのものである。 （以下、「本願発明」という。）
「用紙を搬送する搬送路におけるジャム発生位置を表示する画像形成装置において、
　ジャム発生位置を表示した装置外観図と、
　前記装置外観図に表示されたジャム発生位置を拡大した拡大図と、
　ジャム処理操作手順を示すメッセージと、
を同一表示画面上に並べて表示する表示手段を備えた画像形成装置。」
　
２．  原査定において引用された刊行物
（１）刊行物１ 
　原査定における拒絶の理由に引用された特開平６−１３８７４０号公報（以下、「刊行物１」という。）には、図面とともに、以下の事項が記載されている。 
　
（１−１）「【産業上の利用分野】本発明は、ソータ、フィニッシャのような周辺機を選択的に接続可能な複写装置、プリンタ、ファクシミリ等の画像形成装置に関する。」（段落【０００１】） 
（１−２）「従来、この種の装置としては、…略…付加装置の接続状況を表示する手段を画像形成装置本体に設けることにより、ユーザがシステムの構成を容易に把握するようにしたものが知られている。また、…略…割り込み複写モードにおいて操作が禁止される機能の表示を消去することにより表示内容を簡略化し、作業性を向上したものが知られている。 
　他の装置としては、…略…特定の機能の指定またはその指定の解除をタッチパネル付き表示パネル部により行う機能設定モードを備えることにより、その機能に関する表示とキー入力を禁止するものが知られている。」（段落【０００５】、【０００６】） 
（１−３）「…略…、タッチパネル６００ａは透明シート状のマトリクスタッチスイッチとして構成されてＬＣＤ表示部６００ｂの表示素子上に重畳され、押下位置が検出される。また、モードに応じてタッチスイッチ６００ａの入力形態が対応しており、押下の検出により表示中のモードが設定され、また、その設定が解除される。」（段落【００４６】） 
（１−４）「ステップＳ１３においてジャム状態表示モードが設定されている場合には、同様にステップＳ１４〜Ｓ１６においてそれぞれ周辺機の接続状態を示すフラグ「ｆｌｇ　ｏｐｔ　ｓｅｔ　」を判定し、判定結果に応じて図１５または図１６に示すように表示エリアＡに表示される文章内容や周辺装置の外観図を切り換えて表示するとともに、エリアＢにはジャム発生位置とジャム除去用のドア位置のアニメーションを表示する（ステップＳ１７〜Ｓ１９）。なお、図１５はフィニッシャが接続されている場合の画面を示し、図１６はソータが接続されている場合の画面を示している。」（段落【００６６】） 
（１−５）　図１３
　
図１３には、フィニッシャが接続されている場合の外観図画面を示す説明図が図示されている。 
（１−６）　図１５
　
図１５には、ＬＣＤ表示部６００ｂの表示エリアＡにはフィニッシャが接続された複写機の外観図が表示され、「紙の誤給送の回復方法（How to clear misfeeds）」として、「Open finisher top cover，remove misled paper」と読み取れるメッセージが表示されており、その外観図には、フィニッシャのトップカバーが開いている様子が図示されている。
（１−７）　図２
　
図２には、複写機１００が図示されており、下記のような転写紙の搬送路が図示されている。
　給紙トレイ給紙された転写紙は、レジストローラ１１６により感光体１０７上のトナー像に同期するように搬送され、トナー像が転写チャージャ１１１により転写された後、分離チャージャ１１２により感光体１０７から分離され、搬送ベルト１１７により定着ローラ１１８まで搬送されてトナー像が定着されること、が図示されている（段落【００２７】参照）
　そして、片面コピーモードであって本体トレイ１２３に排出するモードでは、転写紙はターン部１２２により裏表が反転されて本体トレイ１２３に排出されること、が図示されている（段落【００２８】参照）。
　ソータステイプラ３００（３００ａ、３００ｂ）に排出するモードでは、転写紙は反転ユニット４００を介してソータステイプラ３００ａの挿入口３０１の方向に搬送されること、が図示されている（段落【００２９】参照）。
　他方、両面コピーモードでは、転写紙はコピー面が上向きになるように、両面切り換え爪１２０により両面トレイ１２４上に一旦収納される。したがって、両面トレイ１２４上には転写紙がページ順に排出されるが、コピー面が上向きである。この両面トレイ１２４上の転写紙は、両面給紙ベルト１２５により下からすなわちページ順に、かつ先端と後端を逆にして搬送され、再度レジストローラ１１６により感光体１０７上のトナー像に同期するように搬送され、トナー像が裏面に転写されて本体トレイ１２３またはソータステイプラ３００に排出されること、が図示されている（段落【００３０】参照）。
　
　前記摘記事項を総合すると、刊行物１には、下記の発明（以下、「刊行物１記載発明」という。）が実質的に記載されている。 
「　転写紙を搬送する搬送路を持つ複写機１００のジャム状態において、
　複写機１００のＬＣＤ表示部６００ｂの表示エリアＡには、フィニッシャが接続された複写機１００の外観図が表示され、
　複写機１００のＬＣＤ表示部６００ｂの表示エリアＢには、ジャム発生位置とジャム除去用のドア位置のアニメーションが表示され、
　複写機１００のＬＣＤ表示部６００ｂの表示エリアＡには、「転写紙の誤給送の回復方法（How to clear misfeeds）」として、「Open finisher top cover，remove misled paper」というメッセージが表示される、
複写機１００。」
　
（２）　刊行物２に記載された事項 
　原査定における拒絶の理由に引用された特開昭６３−２５８３４５号公報（以下、「刊行物２」という。）には、図面とともに、以下の事項が記載されている。 
（２−１）「　なお、本実施態様装置は画像記録装置内のジャム解除操作部材毎に表示管を有するが、本発明は第３図のような概略図を表示する表示装置を備える構成であってもよい。この場合表示装置は、画像記録装置の正面扉を開いたときに内部の記録処理装置と容易に対応しながら視認できる位置に配置されることが好ましい。またこの表示装置を操作パネルの近傍に配置してもよい。」（４頁左下欄２行〜９行）
（２−２）「　また、表示装置は、第４図に示すようにジャム解除操作部材及びその操作順を文章によって表示してもよい。更に文章と合わせて画像記録装置の搬送経路を表示して、ジャム発生箇所を点灯表示する構成であってもよい。第４図に示す表示装置は加熱現像装置でジャムが発生したことを表わす。この表示装置も画像記録装置の正面扉を開いたときに視認できる位置、操作パネル近傍のいずれに配置してもよい。」（４頁左下欄１０行〜１８行）
　
（３）　刊行物３に記載された事項 
　原査定における拒絶の理由に引用された特開平４−３５６０７０号公報（以下、「刊行物３」という。）には、図面とともに、以下の事項が記載されている。 
　
（３−１）　「　ＬＣＤ表示手段１０８は、決定された立体Ｍ／Ｃイメージ，メッセージをＪＡＭ画面として表示する。図１９はＪＡＭ画面の構成の一例が示されている。」（段落【０１１８】）
　
（３−２）「　ＪＡＭ画面１１０はＪＡＭ発生部位の操作部材を立体Ｍ／Ｃイメージにより表示するＪＡＭの絵表示部１１１，ＪＡＭ除去の操作を表示するメッセージ表示部１１２、ＪＡＭが発生したことを知らせるＪＡＭメッセージ表示部１１３およびＪＡＭコード表示部１１４から構成されている。このＪＡＭ画面１１０には、予めＪＡＭ発生部位に対するＪＡＭ除去手順の一操作（一個の操作対象部材）ごとを立体Ｍ／Ｃイメージとメッセージによって表示される。ＪＡＭの立体Ｍ／Ｃイメージ１１４はＪＡＭ発生部位、ＪＡＭ発生部位にある操作対象部材および操作対象部材の操作方向を矢印によって指示されている。例えば、図１９に示す例では、前面カバー１１５で覆われた箇所にＪＡＭが発生していることを示しており、このＪＡＭ発生部位１１６を黒塗り、操作部材である前面カバー１１５の輪郭を太線で描いて強調表示すると共に、前面カバー１１５を上から下に開くようにその操作方向が矢印１１７により指示されている。」（段落【０１１９】）
　
（３−３）「　次にＪＡＭ画面の作成を図２１により説明する。ＪＡＭが検出されてＭ／Ｃが停止すると、ＦＬＴモジュールが起動する。まずＪＡＭ検出に基づいてＪＡＭ発生部位を特定し、予めＪＡＭ発生部位ごとに付けられたＪＡＭコードから用意されている複数のＭ／Ｃコンフィグレーションの中から本機に合ったＭ／Ｃコンフィグレーションを決定（ステップ２００）する。次いでＬＣＤのＪＡＭ画面の初期化（ステップ２０１）を行って、ＪＡＭ画面に表示があるか否かをチェック（ステップ２０２）する。ＪＡＭ画面に何にも表示がなければ、最初のＪＡＭ画面を作成する。ＪＡＭ画面があれば次のＪＡＭ画面に変えるための処理に移る。」（段落【０１２０】）
　
（３−４）「　次にＪＡＭ除去手順の一例をＪＡＭ画面と図２１のフローチャートにより説明する。ＪＡＭが発生すると、Ｍ／Ｃが停止して図１９に示すＪＡＭの絵１１１をもつＪＡＭ画面が表示される。ユーザはＪＡＭ画面を見て、どの部位にＪＡＭが発生しているかを認識し、その除去手順をＪＡＭの絵１１４とメッセージ「前面カバーをあけてください」により把握する。次いでＭ／Ｃの前面カバーをＪＡＭの絵どうりに開ける（ステップ３００）と、図２０に示す次のＪＡＭ画面が表示される。
　この画面にあるＪＡＭの絵１１８とメッセージ「左側の緑のレバーを上げて機械の中の用紙を取り除いてください」によりＤＡＤＦ１１９の緑色レバー１２０を矢印１２１方向に回動操作して開放し、詰まっている用紙を除去（ステップ３０１）する。そしてＤＡＤＦ、前面カバーの順に装着する。このとき紙残りが判断（ステップ３０２）され、ＪＡＭが解消されていればメッセージ「続けてコピーできます」が表示（ステップ３０３）され、コピー動作を再開することができる。この例ではＪＡＭコード「Ｅ−１」のＪＡＭ発生部位の除去が終了したことを意味している。しかし、「Ｅ−１」ＪＡＭと同時に他の部位にＪＡＭが発生している場合は他のＪＡＭコードによるＪＡＭ画面が表示され、「Ｅ−１」ＪＡＭと同様に処理される。図２２は他のＪＡＭの絵の構成が示されている。なお、図中（１）（２）はＪＡＭ除去手順のステップを、また矢印はＪＡＭ画面の移りを表している。」（段落【０１２６】）
（３−５）「　ＪＡＭの絵は給紙部に紙づまりが発生したときのもので、紙づまりがどのトレイ１２２からの給紙によって発生しているかを引き出したトレイの絵１２３によって表示するように画面構成それている。またトレイの絵１２３だけの表示では、どのトレイか解りにくいので、操作対象トレイの近くに名称「トレイ１」１２４が付けられている。したがって、ＪＡＭの絵を見て、トレイ表示番号のトレイを引き出して詰まっている用紙を取り除く。図示の例では、トレイ１に紙づまりがないとき、トレイ１を元の位置にセットすると、次のトレイ２のＪＡＭの絵（図示せず）が表示される。このトレイ２に紙づまりがあってそれを取り除くと、ＪＡＭ画面が消えてコピー動作ができる旨のメッセージが表示される。」（段落【０１２７】）
　
３．　本願発明（前者）と刊行物１発明（後者）との対比 
　後者の
　「複写機１００」、
　「フィニッシャが接続された複写機１００の外観図」、
　「ジャム発生位置とジャム除去用のドア位置のアニメーション」、
　「“Open finisher top cover，remove misled paper”というメッセージ」、
　「ＬＣＤ表示部６００ｂ」
は、それぞれ、前者の
　「画像形成装置」、
　「装置外観図」、
　「ジャム発生位置を拡大した拡大図」、
　「ジャム処理操作手順を示すメッセージ」、
　「表示手段」
に相当している。
　そして、後者における「複写機１００」においても、ジャムは、転写紙の搬送路において発生するものであり、そして、ジャム発生位置を表示するものであるから、後者における「複写機１００」は、「用紙を搬送する搬送路におけるジャム発生位置を表示する画像形成装置」ということができる。
　そうすると、両者は、 
「　用紙を搬送する搬送路におけるジャム発生位置を表示する画像形成装置において、
　装置外観図と、
　ジャム発生位置を拡大した拡大図と、
　ジャム処理操作手順を示すメッセージと、
を同一表示画面上に並べて表示する表示手段
を備えた画像形成装置。」 
である点で一致し、以下の点で相違する。 
　
（１）　相違点 
　表示画面上に表示する装置外観図について、
　前者では、「ジャム発生位置」を表示したものであるのに対し、
　後者では、「ジャム除去用のトップカバー」を示すものではあるが、「搬送路におけるジャム発生位置」を表示するものであることは明記されていない点。
　
４．　判断 
　そこで、この相違点について検討する。
　まず、刊行物２には、画像記録装置の表示装置において、画像記録装置の概略図を表示して、画像記録装置の搬送経路とジャム発生位置を表示することが記載されている。
　また、刊行物３の図１９には、複写機のＬＣＤ表示手段のＪＡＭの絵表示部１１１に立体Ｍ／Ｃイメージにより表示し、ＪＡＭの立体Ｍ／Ｃイメージ１１４はＪＡＭ発生部位、ＪＡＭ発生部位にある操作対象部材および操作対象部材の操作方向を矢印によって指示されていることが記載されている。
　したがって、刊行物２及び３には、表示画面上に表示する装置外観図において、「搬送路におけるジャム発生位置」を表示するという技術的事項が開示されている。
　そうすると、刊行物１発明において、複写機１００のＬＣＤ表示部６００ｂの表示エリアＡに表示された、フィニッシャが接続された複写機１００の外観図において、「ジャム発生位置」を表示するようにすることは、当業者が格別の創意を要することではない。
　そして、本願明細書をみても、本願発明の効果が、刊行物１発明の効果と比較して、格別のものということができない。
　以上検討したところによれば、本願発明は、刊行物１に記載された発明、及び、刊行物２又は３に記載の技術的事項に基づいて当業者が容易に発明をすることができたものである。
　
５．むすび 
　以上のとおり、本願の請求項１に係る発明は、刊行物１に記載された発明、及び、刊行物２又は３に記載の技術的事項に基づいて当業者が容易に発明をすることができたものであるから、特許法第２９条第２項の規定により特許を受けることができない。
　したがって、本願の請求項２に係る発明について検討するまでもなく、本願は拒絶すべきものである。
　
　よって、結論のとおり審決する。